(57)【要約】      （修正有）【課題】既設のコンクリートで構築された部屋内の左右双方の壁際に壁柱を立てる施工において、コンクリートを傷付けない工法による壁柱を提供する。【解決手段】壁際のコンクリートの床面上に厚く塗った土木用エポキシ樹脂上に３本の木柱ＡＨ、ＡＮ、ＡＭを直立し、それら３本の柱の上端部を固着アングルＹＨ、ＹＮ、ＹＭと固定アングルＫＨ、ＫＮ、ＫＭとで固定し、それら固着アングルの上端部を笠アングルＢの上辺内と縦辺内とに固着し、その笠アングル上に載せる長方形角管梁Ｔの左右双方の両端部を補強板付きアングルＦと固定アングルＦＲとで固定し、その長方形角管梁に固定する短尺長方形外枠ＷＴの下辺に固着させた板片ＫＮＰと中固定アングルＫＮの下端部に固着させた板片ＫＮＰとを両端部に穴の開いた平角棒Ｓで連結固定させて補強する。【選択図】図４
0003231556.tif 000002
【実用新案登録請求の範囲】
【請求項１】
水平に配置する笠アングルの上辺内と縦辺内とに右固着アングルと中固着アングルと右固着アングルとの上端部を垂直に固着し、その笠アングルの上辺上に補強板付きアングルを固着し、それら各固着アングルの縦の長さに合せて左柱と中柱と右柱との上端部をアングルの板厚分を削除加工し、そして左固着アングルと左固定アングルとを左柱の上端部に貫通ボルトで固定し、さらに中固着アングルと中固定アングルとを中柱の上端部に貫通ボルトで固定し、さらに右固着アングルと右固定アングルとを右柱の上端部に貫通ボルトで固定し、そして笠アングルを上端面に載せて配置固定させた状態の左柱と中柱と右柱との下端を水平に切り揃え、揃えた下端を壁際のコンクリートの床面に厚く塗った土木用エポキシ樹脂上に直立させる3本の柱と対称に向き合う壁際にも製作加工する3本の柱を直立し、部屋内の左右双方に直立させた3本と3本との柱の上端面上の笠アングル上に長方形角管梁の左端部と右端部とを載せ、載せたそれぞれの端部を補強板付きアングルと固定アングルとの間に挟んで固定し、その長方形角管梁に固定する短尺長方形外枠の下辺に固着させる板片のボルト穴と中固定アングルの下端部に固着させる板片のボルト穴とを両端部に穴を開けた平角棒で連結固定させて壁柱を補強し、そこで長方形角管梁の左右双方の端部の上辺角とコンクリート壁との間に木のクサビを嵌め入れて左右の微動を止め、さらに3本の柱の前面と後ろ面とにベニヤ板を釘止めし、さらに左柱の左側面と右柱の右側面とに厚板を小釘と接着材とで固定し、それらベニヤ板と厚板との表面にクロスを張って化粧するようにした長方形角管梁の両端部を支える壁柱。
【考案の詳細な説明】
【技術分野】
【０００１】
本考案は、小旋回身体移動補助機を付け外しできる旋回支点パイプを固着させた長方形外枠を長方形角管梁の任意の位置に固定し、コンクリートの天井下に配置する長方形角管梁の左右双方の両端部を支える壁柱の設置をコンクリート構造体の壁に沿わせて床上にコンクリートを傷める事なく強固に直立させる。
【背景技術】
【０００２】
病院や介護施設や集合住宅でのコンクリート構造建築に小旋回身体移動補助装置を強固に設置する場合、それら小旋回身体移動補助装置が医療仕事や介護仕事や生活の邪魔になる事なく小旋回身体移動補助機を常時使用できる事が希望された。
【先行技術文献】
【特許文献】
【０００３】
【特許文献１】第3202552号
【特許文献２】第3216729号
【特許文献３】第3224699号
【特許文献４】第3229003号
【特許文献５】第3228903号
【考案の概要】
【考案が解決しようとする課題】
【０００４】
コンクリートで構築された病院や介護施設や集合住宅に使用する身体移動補助装置の長方形角管梁の両端部を支える壁柱をコンクリートの壁に沿わせて強固に直立させる事で仕事や生活に邪魔にならないようにし、その壁柱を設置する場合にコンクリートを傷めない為にアンカーボルトを使用しないようにする。
【課題を解決するための手段】
【０００５】
上記目的を達成する為に、水平に配置する笠アングルの上辺内と縦辺内とに左固着アングルと中固着アングルと右固着アングルとの上端部を垂直に固着し、その笠アングルの上辺上に補強板付きアングルを固着した。
【０００６】
左固着アングルと中固着アングルと右固着アングルそれぞれの縦の長さに合せて左柱の左側と前側と後ろ側とにアングルの板厚分を削除加工し、さらに中柱の前側と後ろ側とも同様に板厚分を削除加工し、さらに右柱の右側と前側と後ろ側とも同様に板厚分を削除加工した。
【０００７】
左固着アングルと左固定アングルとを左柱の上端部に貫通ボルトで固定し、さらに中固
着アングルと中固定アングルとを中柱の上端部に貫通ボルトで固定し、さらに右固着アングルと右固定アングルとを右柱の上端部に貫通ボルトで固定した。
【０００８】
笠アングルを上端面に載せて配置固定させた状態の左柱と中柱と右柱との下端を切り揃え、それらの下端をコンクリートの床面に厚く塗った土木用エポキシ樹脂上に置いて壁際に直立させる3本の柱と対称に向き合う壁際にも同様に製作加工する3本の柱を直立した。
【０００９】
部屋内で向き合う左右双方の壁沿いで直立させる3本の柱と3本の柱との上端面上の笠アングル上に長方形角管梁の左端部と右端部とを載せ、載せた左右双方の端部それぞれを補強板付きアングルと固定アングルとの間に挟んでボルトで固定した。
【００１０】
長方形角管梁に固定する短尺長方形外枠の下辺に板片を固着し、その板片のボルト穴と中固定アングルの下端部に固着させる板辺のボルト穴とに両端部に穴を開けた平角棒で連結固定させて壁柱を補強し、そこで長方形角管梁の左右それぞれの端部の上辺角とコンクリート壁との間に上から木のクサビをはめて左右の微動を止め、さらに3本の柱の前面と後ろ面とにベニヤ板を釘留めし、さらに左柱の左側面と右柱の右側面とに厚板を小釘と接着材とで固定し、それらベニヤ板と厚板との表面にクロスを張って化粧するようにした長方形角管梁の両端部を支える壁柱。
【考案の効果】
【００１１】
身体移動補助装置を任意の位置に取り付けできる長方形角管梁の両端部を支える壁柱をコンクリートで構築された病院や介護施設や集合住宅を穴開け加工をしてアンカーボルトを打ち込む事でコンクリートを傷める又は仕事や生活の邪魔にならないように長方形角管梁の両端部を支える壁柱を左右双方のコンクリートの壁際に設置できる。
【図面の簡単な説明】
【００１２】
【図１】左柱と中柱と右柱とこれらの各柱の上端部に固定する各固着アングルと固定アングル等の分解図
【図２】笠アングルと3本の固着アングルと補強板付きアングルとを一体に固着させた状態の斜視図
【図３】図2の斜視図に3本の柱と固定アングルとを取り付けし、中アングルの下端部に穴開きの板辺を固着し、穴開きの板辺を下辺に固着させる短尺の長方形外枠を固定させた長方形角管梁の斜視図
【図４】壁柱の組み立てを完成させた斜視図
【図５】壁柱の断面図
【図６】左右双方の壁に沿わせて設置する壁柱に取り付ける長方形角管梁の正面図
【考案を実施するための形態】
【００１３】
本考案の実施形態を説明する、水平に配置する笠アングルBの上辺内と縦辺内とに左固着アングルYHと中固着アングルYNと右固着アングルYMとの上端部を垂直に固着し、その笠アングルBの上辺上に補強板付付きアングルFを固着した。
【００１４】
左固着アングルYHと中固着アングルYNと右固着アングルYMそれぞれの縦の長さに合せて左柱AHの左側と前側と後ろ側とにアングルの板厚分を削除加工し、さらに中柱ANの前側と後ろ側とも同様に板厚分を削除加工し、さらに右柱AMの右側と前側と後ろ側とも同様に板厚分を削除加工した。
【００１５】
左固着アングルYHと左固定アングルKHとを左柱AHの上端部に貫通ボルトで固定し、さらに中固着アングルYNと中固定アングルKNとを中柱ANの上端部に貫通ボルトで固定し、右固着アングルYMと右固定アングルKMとを右柱AMの上端部に貫通ボルトで固定した。
【００１６】
笠アングルBを上端面に載せて配置固定させた状態の左柱AHと中柱ANと右柱AMとの下端を切り揃え、揃えた下端をコンクリートの床面QCに厚く塗った土木用エポキシ樹脂J上に置いて壁際に直立させる3本の柱と対称に向き合う壁際にも同様に製作加工する3本の柱を直立に施工する。
【００１７】
部屋内で向き合う左右双方の壁沿いに直立させる3本の柱と3本の柱との上端面上の笠アングルB上に長方形角管梁Tの左端部と右端部とを載せ、載せた左右双方の端部それぞれを補強板付きアングルFと固定アングルRとの間に挟んでボルトで固定する。
【００１８】
中固定アングルKNの下端部に固着させる板片KNPのボルト穴と長方形角管梁Tに固定させる短尺長方形外枠WTの下辺に固着させる板片KNPのボルト穴とを両端部に穴を開けた平角棒Sで連結固定させて補強し、そこで長方形角管梁Tの左右それぞれの端部の上辺角とコンクリート壁QKとの間に木のクサビLを嵌めて左右の微動を止め、さらに3本の柱の前面と後ろ面とにベニヤ板PPを釘止めし、さらに左柱AHの左側面と右柱AMの右側面とに厚板Gを小釘と接着材とで固定し、それらベニヤ板PPと厚板Gとの表面にクロスRを張って化粧するようにした長方形角管梁Tの両端部を支える壁柱。
【符号の説明】
【００１９】
T        長方形角管梁
WT        短尺長方形外枠
KNP      穴の開いた板片
S        両端部穴を開けた平角棒
W        長方形外枠
WP        長方形外枠の下辺に固着させた旋回支点パイプ(旋回支点パイプには身体移動補助旋回機を付け外しができる)
B        笠アングル
YH        左固着アングル
YN        中固着アングル
YM        右固着アングル
KH        左固定アングル
KN        中固定アングル
KM        右固定アングル
AH        左柱
AN        中柱
AM        右柱
F        補強板付きアングル
FR        固定アングル
QC        コンクリートの床
QK        コンクリートの壁
QT        コンクリートの天井
L        木のクサビ
PP        ベニヤ板
E        釘を打ち込む為の穴
G        厚板
R        クロス
V        根田
U        床板(フローリング)
HB        幅木
【図１】
0003231556.tif 000003
【図２】
0003231556.tif 000004
【図３】
0003231556.tif 000005
【図４】
0003231556.tif 000006
【図５】
0003231556.tif 000007
【図６】
0003231556.tif 000008